(57)【要約】【課題】設置作業の効率を向上させることができる照明制御システム、照明制御方法および照明制御プログラムを提供すること。【解決手段】実施形態の一例に係る照明制御システムは、制御アドレスにより制御される照明機器と、前記照明機器を制御する照明制御装置とを有する。照明制御装置は、特定部と送信部とを有する。また、照明機器は、照明部と通知部とを有する。特定部は、所定の条件を満たす照明機器を特定する。また、送信部は、特定部が特定した照明機器に対して、条件を満たす旨を利用者に通知させる通知指示を送信する。また、照明部は、任意の位置を照明する。そして、通知部は、通知指示を受信した場合は、条件を満たす旨を利用者に通知する。【選択図】図２
2016181451.tif 000002
【特許請求の範囲】
【請求項１】
制御アドレスにより制御される照明機器と、前記照明機器を制御する照明制御装置とを有する照明制御システムであって、
前記照明制御装置は、
所定の条件を満たす照明機器を特定する特定部と；
前記特定部が特定した照明機器に対して、前記条件を満たす旨を利用者に通知させる通知指示を送信する送信部と；
を具備し、
前記照明機器は、
任意の位置を照明する照明部と；
前記通知指示を受信した場合は、前記条件を満たす旨を利用者に通知する通知部と；
を具備することを特徴とする照明制御システム。
【請求項２】
前記照明制御装置は、
前記照明機器から当該照明機器の機器情報を収集する収集部；
を具備し、
前記特定部は、前記収集部が収集した機器情報が、前記条件を満たす照明機器を特定する
ことを特徴とする請求項１に記載の照明制御システム。
【請求項３】
前記照明機器は、
前記照明制御装置から通知指示を受信したか否かを記憶する記憶部；
を具備し、
前記通知部は、前記記憶部に前記通知指示を受信した旨が記憶されている状態で、前記条件を満たすか否かの通知を要求する通知要求を前記利用者が使用する端末装置から受信した場合は、前記条件を満たす旨を利用者に通知することを特徴とする請求項１または２に記載の照明制御システム。
【請求項４】
前記送信部は、無線通信を介して、前記照明機器に前記通知指示を送信することを特徴とする請求項１〜３のうちいずれか１つに記載の照明制御システム。
【請求項５】
前記通知部は、前記通知指示を受信した場合は、前記照明部とは個別に設置された光源を点灯または点滅させることを特徴とする請求項１〜４のうちいずれか１つに記載の照明制御システム。
【請求項６】
前記照明機器は、当該照明機器が前記条件を満たす旨を利用者に通知する際に用いる電力を保持する蓄電部を有することを特徴とする請求項１〜５のうちいずれか１つに記載の照明制御システム。
【請求項７】
前記特定部は、前記所定の条件として、設置対象となる照明機器の条件を満たす照明機器を特定することを特徴とする請求項１〜６に記載の照明制御システム。
【請求項８】
照明機器を制御する照明制御装置が、
所定の条件を満たす照明機器を特定する特定ステップと；
前記特定ステップで特定した照明機器に対して、前記条件を満たす旨を利用者に通知させる通知指示を送信する送信ステップと；
を実行し、
前記照明機器が、
前記通知指示を受信した場合は、前記条件を満たす旨を利用者に通知する通知ステップ；
を実行することを特徴とする照明制御方法。
【請求項９】
照明機器を制御する照明制御装置が有するコンピュータに、
所定の条件を満たす照明機器を特定する特定手順と；
前記特定ステップで特定した照明機器に対して、前記条件を満たす旨を利用者に通知させる通知指示を送信する送信手順と；
を実行させることを特徴とする照明制御プログラム。
【発明の詳細な説明】
【技術分野】
【０００１】
本発明の実施形態は、照明制御システム、照明制御方法および照明制御プログラムに関する。
【背景技術】
【０００２】
従来、スタジオや舞台等では、複数の照明機器により照明演出がなされている。そして、各照明機器側に設定される制御アドレスを用いて、照明制御装置が各照明機器を制御する照明制御システムが導入されている。
【０００３】
このような照明制御システムでは、照明演出を変更する際や照明機器の置き換えを行う際等に、照明機器の設置や交換が手作業で行われる。例えば、照明制御システムでは、使用予定の照明機器をスタジオや舞台等に搬入して照明制御システムに接続し、照明制御装置が有する調光用フェーダ等の操作部と照明機器とを対応付けるといった一連の設置作業が、手作業により行われる。
【０００４】
ところで、このような照明制御システムでは、照明機器を搬入する際に、倉庫等から使用予定の照明機器を探し出したり、照明機器の置き換えを行う際に、設置済みの照明機器から使用する予定が無い照明機器を探し出さなければならず、効率良い設置作業の支障となっていた。
【先行技術文献】
【特許文献】
【０００５】
【特許文献１】特開２０１４−１２０３５１号公報
【発明の概要】
【発明が解決しようとする課題】
【０００６】
本発明が解決しようとする課題は、設置作業の効率を向上させることができる照明制御システム、照明制御方法および照明制御プログラムを提供することである。
【課題を解決するための手段】
【０００７】
実施形態の一例に係る照明制御システムは、制御アドレスにより制御される照明機器と、前記照明機器を制御する照明制御装置とを有する。照明制御装置は、特定部と送信部とを有する。また、照明機器は、照明部と通知部とを有する。特定部は、所定の条件を満たす照明機器を特定する。また、送信部は、特定部が特定した照明機器に対して、条件を満たす旨を利用者に通知させる通知指示を送信する。また、照明部は、任意の位置を照明する。そして、通知部は、通知指示を受信した場合は、条件を満たす旨を利用者に通知する。
【発明の効果】
【０００８】
実施形態の一例に係る照明制御システム、照明制御方法および照明制御プログラムによれば、設置作業の効率を向上させることができる。
【図面の簡単な説明】
【０００９】
【図１】図１は、実施形態に係る照明制御システムの構成の一例を示すブロック図である。
【図２】図２は、実施形態に係る各装置の機能構成の一例を示すブロック図である。
【図３】図３は、実施形態に係る照明機器が記憶する位置情報の一例を示す図である。
【図４】図４は、実施形態に係る位置情報テーブルの一例を示す図である。
【図５】図５は、実施形態に係る照明機器テーブルに格納される情報の一例を示す図である。
【図６】図６は、実施形態に係るアドレス管理テーブルに格納された情報の一例を示す図である。
【図７】図７は、実施形態に係る照明機器が表示する設置フラグの内容の一例を示す図である。
【図８】図８は、実施形態に係る照明制御装置が実行する処理の一例を示すフローチャートである。
【図９】図９は、実施形態に係る照明機器が実行する処理の一例を示すフローチャートである。
【発明を実施するための形態】
【００１０】
以下、図面を参照して、実施形態に係る照明制御システム、照明制御方法および照明制御プログラムを説明する。実施形態において同一の機能を有する構成には同一の符号を付し、重複する説明は省略する。なお、以下の実施形態で説明する照明制御システム、照明制御方法および照明制御プログラムは、一例を示すに過ぎず、実施形態を限定するものではない。例えば、以下の実施形態では、照明制御システムは、照明機器以外にも、任意の舞台装置の制御にも適用することができる。なお、以下の各実施形態は、矛盾しない範囲内で適宜組みあわせてもよい。
【００１１】
以下の実施形態に係る照明制御システム１は、制御アドレスにより制御される複数の照明機器１０（例えば、照明機器１０−１〜１０−ｎ）と、照明機器１０を制御する照明制御装置５０とを有し、照明制御装置５０は、所定の条件（例えば、照明制御システム１の全体を管理するオペレータが指定する条件）を満たす照明機器１０を特定し、特定した照明機器に対して、条件を満たす旨を利用者に通知させる通知指示（例えば、値が「１」の設置フラグ）を端末装置１０に送信する制御部５５を有する。一方、照明機器１０は、所定の位置を照明する光源部１６と、通知指示を受信した場合に、条件を満たす旨を利用者に通知する通知部（例えば、表示部１７）を有する。ここで、利用者とは、照明機器１０を探し出したり、照明機器１０の置き換えを行うなど、舞台やスタジオで照明機器１０を直接扱う現場作業員のことを指す。
【００１２】
また、以下の実施形態に係る照明制御システム１は、照明制御装置５０が照明機器１０の照明機器情報を収集し、収集した照明機器情報が所定の条件を満たす照明機器１０を特定する。
【００１３】
また、以下の実施形態に係る照明制御システム１は、照明機器１０は、通知指示を受信したか否かを記憶部する記憶部１３を有し、記憶部１３に通知指示が受信した旨が記憶されている状態で、条件を満たすか否かの通知を要求する通知要求を利用者の端末装置から受信した場合は、条件を満たす旨を利用者に通知する。
【００１４】
また、以下の実施形態に係る照明制御システム１では、照明制御装置５０は、無線通信を介して、照明機器１０に対し、照明機器１０が設置されるか否かを示す設置フラグを送信する。
【００１５】
また、以下の実施形態に係る照明制御システム１では、照明機器１０は、通知指示を受信した場合は、液晶画面、ＬＥＤ画面等の表示部１７等の光源を点灯または点滅させることで、利用者に照明機器１０が条件を満たす旨を通知する。
【００１６】
また、以下の実施形態に係る照明制御システム１では、所定の条件として、設置対象となる照明機器１０の条件を受付け、受付けた条件を満たす照明機器１０を特定する。
【００１７】
［実施形態］
（実施形態に係る照明制御システムの構成）
図１は、実施形態に係る照明制御システムの構成の一例を示すブロック図である。実施形態に係る照明制御システム１は、複数の照明機器１０（１０−１〜１０−ｎ）、複数のバトン装置２０（２０−１〜２０−ｎ）、電源装置４０、及び照明制御装置５０を有する。なお、照明制御システム１に接続される照明機器１０およびバトン装置２０の種別や数などは任意に設定できる。
【００１８】
照明制御システム１において、照明機器１０は、ＤＭＸ規格に従った通信プロトコルや、ＤＭＸを拡張したＲＤＭ（Remote  Device  Management）規格に沿った通信方式により、バトン装置２０−１〜２０−ｎや照明制御装置５０と双方向通信が可能であり、バトン装置２０−１〜２０−ｎと所定の有線コネクタを介して接続可能である。
【００１９】
また、照明機器１０は、ＬＥＤ（Light  Emitting  Diodes）等の半導体発光素子を有し、制御信号に従って、明るさ（照度）、範囲、色彩、照明する位置等を変化させることで、スタジオや舞台等の照明演出を行う。また、照明機器１０には、１つまたは複数の制御アドレスが予め設定されており、その制御アドレスを用いた制御に従って、照度、照明する光の色彩、照明する向き等の制御対象を変更する。なお、照明機器１０は、ＬＥＤ等の半導体発光素子を光源として用いる照明機器ではなく、例えば、いわゆるハロゲンランプであってもよい。
【００２０】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられるとして、説明を省略する。なお、バトン装置２０は、照明機器１０と照明制御装置５０との間の通信を中継する機能を有するのであれば、照明機器１０を吊り下げ可能な装置でなくともよい。
【００２１】
ここで、各バトン装置２０−１〜２０−ｎには、バトン装置を識別するためのバトン番号として「ＳＬ１」〜「ＳＬｎ」といった番号が付与されている。また、各バトン装置２０−１〜２０−ｎは、各照明機器１０−１〜１０−ｎを接続するためのポートを有し、各ポートには「１」〜「ｎ」といったポート番号が付与されている。
【００２２】
このため、各照明機器１０−１〜１０−ｎを設置する位置は、バトン番号とポート番号とを組み合わせた設置位置情報により特定される。例えば、バトン番号「ＳＬ１」がバトン装置２０−１を示す場合、バトン装置２０−１が有するポート番号「１」のポートは、「ＳＬ１−１」といった設置位置情報により特定される。なお、バトン装置２０−１〜２０−ｎの各ポートの横には、各ポートを特定する設置位置情報が表示されていてもよい。
【００２３】
ハブ３０は、イーサネット（登録商標）等の有線または無線によるネットワークによって、照明制御装置５０と双方向通信が可能な態様で接続され、照明制御装置５０と各バトン装置２０−１〜２０−ｎとの通信を中継する中継器である。
【００２４】
電源装置４０は、バトン装置２０−１〜２０−ｎを介して、各照明機器１０−１〜１０−ｎに電力を供給する電源装置であり、例えば、電圧変換の機能、ブレーカー、ＵＰＳ（Uninterruptible  Power  Supply）等の機能を有する。
【００２５】
照明制御装置５０は、照明制御システム１全体を管理するオペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。このような場合、バトン装置２０−１〜２０−ｎは、制御情報をＲＤＭ規格に沿った制御信号（例えば、調光信号等）に変換し、制御アドレスが示す照明機器に対して制御信号を出力することで、照明機器１０−１〜１０−ｎの制御を行う。このように、照明制御装置５０は、制御アドレスを用いて、照明機器１０−１〜１０−ｎを遠隔制御する。
【００２６】
（実施形態に係る照明制御システムが実行する設定処理）
ここで、使用されていない照明機器１０は、スタジオや舞台から離れた倉庫等に片づけられることが通常である。このため、照明演出に応じた照明機器１０をスタジオや舞台等に設置する場合には、使用する照明機器１０を倉庫等から探し出さなければならない。また、すでにスタジオや舞台等に照明機器１０が設置されている場合は、設置済みの照明機器１０の中から継続して使用する照明機器や使用しない照明機器等を探し出さなければならない。
【００２７】
そこで、実施形態に係る照明制御システム１では、照明制御装置５０が所定の条件を満たす照明機器１０を特定し、特定した照明機器１０に対して、利用者に条件を満たす旨を通知させる通知指示を送信する。一方、照明機器１０は、通知指示を受信した場合は、所定のＬＥＤランプを点灯させる等して、条件を満たす照明機器である旨を利用者に通知する。
【００２８】
以下、照明制御システム１が実行する処理の一例を説明する。例えば、照明機器１０−１〜１０−ｎと照明制御装置５０は、無線ＬＡＮ（Local  Area  Network）等の無線通信網を介して相互に通信を行う機能を有する。そして、照明制御装置５０は、無線通信網を介して、各照明機器１０−１〜１０−ｎから、照明機器情報を収集する。ここで、照明機器情報とは、照明機器１０が記憶する情報であり、照明機器１０に設定された制御アドレス、照明機器１０の識別子、照明機器１０の種別等を含む情報である。
【００２９】
また、照明制御装置５０は、照明機器１０を設置する位置を示す設置位置情報と、その位置に設置される照明機器１０の種別とを対応付けた位置情報をオペレータから受付ける。そして、照明制御装置５０は、照明機器１０の種別に基づいて、収集した照明機器情報と位置情報とのマッチングを行い、条件を満たす照明機器１０、すなわち、オペレータから受付けた位置情報が示す種別の照明機器１０に対し、無線通信網を介して、設置対象である旨を利用者に通知させる通知指示を送信する。
【００３０】
例えば、照明制御装置５０は、設置位置情報「ＳＬ１−１」と種別「スポットライト」とが対応付けられた位置情報を受付け、照明機器１０−１から種別「スポットライト」を含む照明機器情報を受付けた場合は、照明機器１０−１を設置位置情報「ＳＬ１−１」に設置する照明機器として特定する。そして、照明制御装置５０は、通知指示として、照明機器１０−１が設置される旨を示す設置フラグ「１」を照明機器１０−１に送信する。
【００３１】
一方、照明制御装置５０は、照明機器１０−１をどこにも設置しない場合は、照明機器１０−１に対して、設置しない旨を示す設置フラグ「０」を送信する。すなわち、設置フラグとは、オペレータから受付けた設置対象とする照明機器１０の条件（以下、設置条件記載する。）を満たすか否かを示す情報である。
【００３２】
一方、照明機器１０は、無線通信網を介して、照明制御装置５０から設置フラグを受信すると、受信した設置フラグをメモリ等の所定の記憶装置に登録するとともに、設置フラグの値が「１」である場合、すなわち、設置フラグが設置条件を満たす旨を示す場合は、かかる旨を利用者に通知する。例えば、照明機器１０−１は、筐体にＬＥＤランプ、ＬＥＤモニタ、７セグメントディスプレイ等の光源を有し、かかる光源を点灯させることで、照明機器１０−１が設置条件を満たす旨を利用者に通知する。
【００３３】
なお、照明機器１０は、光源を点滅させる、光源を所定の色彩で点灯させる、光源を所定の照度で点灯させる等して、自装置が設置条件を満たす旨を通知してもよい。また、照明機器１０は、設置フラグの値が「０」である場合は、設置条件を満たさない旨を通知してもよい。例えば、照明機器１０は、設置フラグの値を示す文字、図形、記号を表示してもよく、ＬＥＤランプや設置フラグの値が「１」であるか「０」であるかを示す色彩の光を点灯させてもよい。また、照明機器１０は、「１」または「０」を示す照度の光を点灯させてもよく、設置フラグの値が「１」であるか「０」であるかを示すパターンで光源を点滅させてもよい。また、照明機器１０は、設置フラグの値が「０」の場合は、光源を点灯若しくは点滅させず、設置フラグが「１」の場合にのみ、光源を点灯若しくは点滅させればよい。
【００３４】
このように、照明制御システム１は、照明機器１０と照明制御装置５０とを有する。照明制御装置５０は、所定の条件として、設置条件を満たす照明機器１０を特定し、特定した照明機器１０に対して設置条件を満たす旨の設置フラグを送信する。そして、照明機器１０は、設置条件を満たす旨の設置フラグを受信した場合は、ＬＥＤランプを点灯させる等して、自装置が設置対象である旨を利用者に通知する。
【００３５】
この結果、例えば、利用者は、倉庫等に片づけられた照明機器１０のうち、ＬＥＤランプが点灯若しくは点滅している照明機器１０、すなわち設置対象である旨を利用者に通知している照明機器１０をスタジオや舞台に搬入し、搬入した照明機器１０を、かかる照明機器１０自身が表示する位置に設置すればよい。また、利用者は、スタジオや舞台に設置済みの照明機器１０を交換する場合は、設置済の照明機器１０のうち、ＬＥＤランプが点灯若しくは点滅している照明機器１０以外を取り外せばよい。この結果、照明制御システム１は、照明機器１０の設置や交換といった設置作業を容易にすることができる。
【００３６】
（実施形態に係る各装置の機能構成）
続いて、図２を用いて、実施形態に係る照明機器１０、バトン装置２０−１および照明制御装置５０の機能構成の一例を説明する。図２は、実施形態に係る各装置の機能構成の一例を示すブロック図である。なお、以下の説明では、照明機器１０−２〜１０−ｎは、照明機器１０−１と同様の構成および機能を発揮するものとして、説明を省略する。また、バトン装置２０−２〜２０−ｎは、バトン装置２０−１と同様の構成および機能を発揮するものとして、説明を省略する。
【００３７】
まず、照明機器１０−１の構成について説明する。実施形態に係る照明機器１０−１は、記憶部１３、通信部１４、制御部１５、光源部１６、表示部１７、蓄電部１８を有する。
【００３８】
記憶部１３は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。また、記憶部１３には、照明機器１０−１の照明機器情報１３−１および照明機器１０−１の設置フラグ１３−２が登録される。照明機器情報１３−１とは、照明機器１０−１に関する各種情報であり、例えば、ＵＩＤ（Unique  Identifier）や器具情報といった情報が含まれる。
【００３９】
ここで、ＵＩＤとは、ＤＭＸ規格で用いられる装置ごとに固有の番号であり、照明機器１０−１に予め付与される１２桁の１６進数で表される情報である。また、器具情報とは、照明機器１０−１がどのような照明機器であるかを示す情報であり、スポットライト、ホリゾントライト、ベースライト等といった照明機器１０−１の種別を示す情報や、１ｋＷ（キロワット）等といった照明機器１０−１の消費電力を示す情報を含む。
【００４０】
なお、照明機器情報には、上述したＵＩＤや器具情報以外にも、照明機器１０の製造会社名、照明機器１０の機器型番、照明機器１０の光源を点灯させた時間の合計である点灯時間、照明機器１０に電力が供給された時間の合計を示す通電時間、照明機器１０が有する光源の出力、照明機器１０の質量、照明機器１０の動作のモードを示すパーソナリティ設定等の情報が登録される場合がある。
【００４１】
設置フラグ１３−２とは、照明機器１０−１が設置される位置を示す設置位置情報である。例えば、図３は、実施形態に係る照明機器が記憶する設置フラグの一例を示す図である。例えば、図３に示す例では、照明機器１０−１は、設置フラグ１３−２として、照明機器１０−１を設置する旨を示す値「１」を記憶する。なお、設置フラグ１３−２には、照明機器１０−１を設置しない旨を示す場合は、値「０」が設定される。
【００４２】
図２に戻り、説明を続ける。通信部１４は、照明機器１０−１と照明制御装置５０との間の通信を制御する通信装置であり、例えば、ＮＩＣ等により実現される。具体的には、通信部１４は、所定の有線コネクタを介し、ＲＤＭ規格に沿った通信方式でバトン装置２０−１との間で信号の送受信を行う有線通信機能と、無線ＬＡＮ等の無線通信網を介して、照明制御装置５０と通信を行う無線通信機能とを有する。
【００４３】
制御部１５は、照明の制御を行う。例えば、照明制御装置５０は、照明機器１０−１に制御アドレスを設定する場合は、バトン装置２０−１を介して、制御アドレスの値を示す設定信号を照明機器１０−１に出力する。このような場合、制御部１５は、バトン装置２０−１から受信した設定信号が示す制御アドレスを記憶部１３に登録する。
【００４４】
また、例えば、照明制御装置５０は、照明機器１０−１の照明態様を制御する場合は、バトン装置２０−１を介して、照明機器１０−１に設定した制御アドレスと制御内容とを示す制御信号を照明機器１０−１に出力する。このような場合、制御部１５は、バトン装置２０−１から受信した制御信号に従って、光源部１６を制御する。
【００４５】
また、照明制御装置５０は、各照明機器１０−１〜１０−ｎの照明機器情報を収集する場合は、無線通信網を介して、各照明機器１０−１〜１０−ｎに照明機器情報の送信を要求する送信要求を送信する。このような場合、制御部１５は、通信部１４を介して送信要求を受信すると、記憶部１３から照明機器情報１３−１を読出し、無線通信網を介して、読み出した照明機器情報１３−１を照明制御装置５０に送信する。
【００４６】
また、照明制御装置５０は、無線通信網を介して、各照明機器１０−１〜１０−ｎに対して設置フラグを送信する。このような場合、制御部１５は、照明機器１０−１宛ての設置フラグを受信すると、受信した設置フラグの値を記憶部１３に登録するとともに、かかる設置フラグの内容を表示部１７に表示させる。例えば、照明制御装置５０は、設置フラグ「１」を照明機器１０−１へ送信する。このような場合、制御部１５は、設置フラグ「１」を記憶するとともに、表示部１７を点灯させることで設置フラグの内容を利用者に通知する。
【００４７】
なお、制御部１５は、照明制御装置５０から設置フラグを受信したタイミングではなく、利用者から要求があった場合に、設置フラグの内容を通知してもよい。例えば、利用者は、利用者が使用する端末装置から無線通信網を介して、照明機器１０−１に対し、設置フラグの内容を通知するよう要求する通知要求を送信する。そして、制御部１５は、照明機器１０−１から通知要求を受信した場合は、記憶部１３に記憶した設置フラグ１３−２の値を参照し、参照した値が「１」である場合は、表示部１７を点灯させる。
【００４８】
ここで、制御部１５は、ハブ３０およびバトン装置２０−１を介して、照明制御装置５０から通知要求を受信した際に、設置フラグ１３−２の値を参照し、参照した値が「１」である場合は、表示部１７を点灯させてもよい。このように、照明機器１０は、利用者やオペレータから通知要求を受信した際に、記憶した設置フラグ１３−２の内容を利用者に通知するので、利用者やオペレータが所望したタイミングで、照明機器１０を設置するか否かを通知することができる。
【００４９】
光源部１６は、照明機器１０−１が有する光源であり、制御部１５の制御に従って、照度、照明する範囲、色彩等を制御可能なＬＥＤ等の半導体発光素子により実現される。なお、光源部１６は、いわゆるハロゲンランプであってもよい。
【００５０】
表示部１７は、照明機器１０−１に備えられた表示装置であり、例えば、液晶ディスプレイ、ＬＥＤディスプレイ、７セグメントディスプレイ等の表示装置である。
【００５１】
蓄電部１８は、照明機器１０−１が設置フラグの内容を利用者に通知する際に用いられる電力を蓄電し、例えば、任意の蓄電池により実現される。例えば、制御部１５は、蓄電部１８が蓄電した電力を用いて、照明制御装置５０との間で無線通信を行い、設置フラグを受信する。また、表示部１７は、蓄電部１８が蓄電した電力を用いて、設置フラグの内容を表示する。なお、光源部１６も同様に、蓄電部１８が蓄電した電力を用いて、ＬＥＤ等を発光させてもよい。
【００５２】
次に、バトン装置２０−１の構成について説明する。実施形態に係るバトン装置２０−１は、通信部２３および複数のポート２４−１〜２４−ｎを有する。通信部２３は、ハブ３０を介して、制御情報と制御信号との変換を行うことで、照明機器１０と照明制御装置５０との間の通信を中継する通信装置であり、例えば、ＮＩＣ等の通信装置によって実現される。
【００５３】
ポート２４−１〜２４−ｎは、それぞれを識別するためのポート番号「１」〜「ｎ」が付与されたポートであり、例えば、ＲＤＭ規格に従って照明機器１０と信号を送受信するための所定のコネクタである。
【００５４】
次に、照明制御装置５０の構成について説明する。実施形態に係る照明制御装置５０は、通信部５１、操作部５２、記憶部５３、表示部５４、制御部５５を有する。
【００５５】
通信部５１は、照明機器１０との間の通信を制御する通信装置であり、例えば、ＮＩＣ等により実現される。また、通信部５１は、ハブ３０及びバトン装置２０を介して、照明機器１０との間でＲＤＭ規格に沿った通信方式で情報の送受信を行う有線通信機能と、無線ＬＡＮ等の無線通信網を介して、照明機器１０との間で通信を行う無線通信機能とを有する。
【００５６】
操作部５２は、各照明機器１０−１〜１０−ｎに対する操作を受付けるものであり、例えば、各照明機器１０−１〜１０−ｎの照度を変更する操作を受付ける複数のフェーダを有する。なお、各フェーダには、それぞれ個別のフェーダ番号が付与されているものとする。また、操作部５２は、タッチパネル等を利用して構成することもできる。
【００５７】
記憶部５３は、ＨＤＤ、ＳＳＤ、フラッシュメモリ、ＲＡＭ等の記憶装置により実現されるものであり、位置情報テーブル５３−１、機器情報テーブル５３−２、およびアドレス管理テーブル５３−３を記憶する。
【００５８】
位置情報テーブル５３−１は、設置する照明機器１０の種別と、照明機器１０を設置する位置を示す設置位置情報とが対応付けて格納される。例えば、図４は、実施形態に係る位置情報テーブルの一例を示す図である。図４に示す例では、設置位置情報「ＳＬ１−１」〜「ＳＬ１−３」、「ＳＬ１−６」と種別「スポットライト」とが対応付けられており、設置位置情報「ＳＬ１−４」、「ＳＬ１−５」と種別「ホリゾントライト」とが対応付けて登録されている。すなわち、位置情報テーブル５３−１には、各設置位置に設置される照明機器の種別の条件が登録されている。
【００５９】
図２に戻り、機器情報テーブル５３−２には、無線通信網を介して、各照明機器１０−１〜１０−ｎから収集した照明機器情報が登録される。例えば、図５は、実施形態に係る照明機器テーブルに格納される情報の一例を示す図である。図５に示すように、機器情報テーブル５３−２には、識別情報と器具情報とが対応付けて登録される。ここで、識別情報とは、各照明機器１０−１〜１０−ｎを識別するための情報であり、例えば、ＵＩＤである。
【００６０】
図５に示す例では、機器情報テーブル５３−２には、識別情報「ＵＩＤ１」と器具情報「スポットライト、１ｋＷ」、識別情報「ＵＩＤ２」と器具情報「スポットライト、２ｋＷ」、識別情報「ＵＩＤ３」と器具情報「スポットライト、１ｋＷ」、識別情報「ＵＩＤ４」と器具情報「ホリゾントライト、１ｋＷ」、識別情報「ＵＩＤ５」と器具情報「ホリゾントライト、１ｋＷ」、識別情報「ＵＩＤ６」と器具情報「フラッドライト、１ｋＷ」、とが対応付けて登録されている。すなわち、機器情報テーブル５３−２には、識別情報「ＵＩＤ１」〜「ＵＩＤ３」が示す照明機器が「スポットライト」であり、識別情報「ＵＩＤ４」、「ＵＩＤ５」が示す照明機器が「ホリゾントライト」であり、識別情報「ＵＩＤ６」が示す照明機器が「フラッドライト」である旨の情報が登録されている。
【００６１】
図２に戻り、アドレス管理テーブル５３−３には、各照明機器１０−１〜１０−ｎと各照明機器１０−１〜１０−ｎに対する操作を受付けるフェーダと、各照明機器１０−１〜１０−ｎに対して設定される制御アドレスとが対応付けて格納される。例えば、図６は、実施形態に係るアドレス管理テーブルに格納された情報の一例を示す図である。図６に示す例では、アドレス管理テーブル５３−３には、フェーダ番号、制御アドレス、識別情報、器具情報、設置位置情報等が対応付けて登録されている。
【００６２】
ここで、アドレス管理テーブル５３−３に登録されたフェーダ番号は、対応付けられた識別情報が示す照明機器に対する操作を受付けるフェーダのフェーダ番号である。また、制御アドレスは、対応付けられた識別情報が示す照明機器を制御する際に用いられる制御アドレス、すなわちＤＭＸアドレスである。また、設置位置情報は、対応付けられた識別情報が示す照明機器が設置される位置を示す設置位置情報である。
【００６３】
例えば、図６に示す例では、フェーダ番号「Ｆ１」、制御アドレス「１１」、識別情報「ＵＩＤ１」、器具情報「スポットライト、１ｋＷ」、設置位置情報「ＳＬ１−１」が対応付けて登録されている。この情報は、識別情報「ＵＩＤ１」が示す照明機器（例えば、照明機器１０−１）が消費電力「１ｋＷ」の「スポットライト」であり、バトン番号「ＳＬ１」が示すバトン装置２０−１のポートのうち、ポート番号「１」が示すポートに接続されている旨を示す。また、識別情報「ＵＩＤ１」が示す照明機器に制御アドレス「１１」が設定され、操作を受付けるフェーダがフェーダ番号「Ｆ１」が示すフェーダである旨を示す。
【００６４】
図２に戻り説明を続ける。表示部５４は、後述する制御部５５による制御に従い、照明制御装置５０に接続された各照明機器１０−１〜１０−ｎの設置位置情報と、各照明機器１０−１〜１０−ｎに設定された制御アドレスと、各照明機器１０−１〜１０−ｎに対する操作を受付けるフェーダ５２−１〜５２−ｎの情報とを表示する表示装置であり、例えば、液晶モニタやタッチパネル等により実現される。
【００６５】
制御部５５は、制御アドレスを用いて、各照明機器１０−１〜１０−ｎの制御を行う。例えば、制御部５５は、オペレータの操作に従って、各照明機器１０−１〜１０−ｎから照明機器情報を収集し、収集した照明機器情報を機器情報テーブル５３−２に格納する。また、制御部５５は、キーボード、マウス、タッチパネル等の入力手段を介して、照明機器１０を設置する位置と、その設置位置に設置される照明機器１０の種別との入力をオペレータから受付け、受付けた設置位置を示す設置位置情報と照明機器１０の種別とを対応付けて位置情報テーブル５３−１に格納する。
【００６６】
そして、制御部５５は、位置情報テーブル５３−１に格納された照明機器１０の種別と、機器情報テーブル５３−２に格納された器具情報とのマッチングを行い、位置情報を満たす照明機器１０、すなわち、オペレータから指定された種別に関する条件を満たす照明機器１０を特定し、特定した照明機器１０に対して、設置対象である旨を示す設置フラグ「１」を送信する。
【００６７】
例えば、制御部５５は、位置情報テーブル５３−１に設置位置情報「ＳＬ１−１」と種別「スポットライト」とが対応付けて登録されている場合は、機器情報テーブル５３−２から機器情報に種別「スポットライト」が含まれている照明機器、すなわち、オペレータが指定した種別の条件を満たす照明機器を検索する。ここで、図５に示す例では、機器情報テーブル５３−２には、照明機器１０−１の識別情報「ＵＩＤ１」に器具情報「スポットライト、１ｋＷ」が対応付けて登録されている。この結果、制御部５５は、識別情報「ＵＩＤ１」が示す照明機器１０−１をオペレータが指定した種別の条件を満たす照明機器として選択し、識別情報「ＵＩＤ１」と器具情報「スポットライト、１ｋＷ」と設置位置情報「ＳＬ１−１」とを対応付けてアドレス管理テーブル５３−３に登録する。
【００６８】
また、制御部５５は、識別情報「ＵＩＤ２」〜「ＵＩＤ５」が示す照明機器の照明機器情報についても同様に、マッチングを行い、アドレス管理テーブル５３−３に登録する。一方、図５に示す機器情報テーブル５３−２は、識別情報「ＵＩＤ６」が示す照明機器が「フラッドライト」である旨を示す。しかしながら、図４に示す位置情報テーブル５３−１には、種別「フラッドライト」が登録されていない。このため、制御部５５は、識別情報「ＵＩＤ６」が示す照明機器の照明機器情報を設置位置情報とは対応付けずにマッチングを終了する。
【００６９】
続いて、制御部５５は、オペレータが指定した条件を満たす照明機器１０を特定した場合、すなわち、オペレータから受けつけた全ての設置位置情報を照明機器情報と対応付けてアドレス管理テーブル５３−３に登録した場合は、機器情報テーブル５３−２に登録された識別情報と、機器情報テーブル５３−２に登録された識別情報とを比較し、設置対象となる照明機器１０を特定する。そして、制御部５５は、設置対象となる照明機器１０に対し、設置する旨を示す設置フラグ「１」を送信し、設置対象ではない照明機器に対し、設置しない旨を示す設置フラグ「０」を送信する。
【００７０】
例えば、図５に示す機器情報テーブル５３−２に登録された識別情報「ＵＩＤ１」〜「ＵＩＤ６」のうち、識別情報「ＵＩＤ１」〜「ＵＩＤ５」は、機器情報テーブル５３−２に登録されており、識別情報「ＵＩＤ６」は、機器情報テーブル５３−２に登録されていない。このため、制御部５５は、識別情報「ＵＩＤ１」〜「ＵＩＤ５」が示す照明機器を設置対象であると判定し、識別情報「ＵＩＤ１」〜「ＵＩＤ５」が示す照明機器に、設置する旨を示す設置フラグ「１」を送信する。また、制御部５５は、識別情報「ＵＩＤ６」が示す照明機器を設置対象ではないと判定し、識別情報「ＵＩＤ６」が示す照明機器に、設置しない旨を示す設置フラグ「０」を送信する。
【００７１】
また、制御部５５は、任意のルールに従って、各照明機器１０−１〜１０−ｎに対する操作を受付けるフェーダと、各照明機器１０−１〜１０−ｎに対して設定する制御アドレスとを決定し、各照明機器１０−１〜１０−ｎの識別情報に、各照明機器１０−１〜１０−ｎに対する操作を受付けるフェーダのフェーダ番号と、各照明機器１０−１〜１０−ｎに対して設定する制御アドレスとをアドレス管理テーブル５３−３に登録する。
【００７２】
その後、制御部５５は、各照明機器１０−１〜１０−ｎに対し、各照明機器１０−１〜１０−ｎの識別情報と対応付けられた制御アドレスを設定するための設定信号を出力する。この結果、各照明機器１０−１〜１０−ｎには、アドレス管理テーブル５３−３に登録された制御アドレスが設定される。
【００７３】
なお、制御部５５は、いずれかのフェーダが操作を受付けた場合は、操作内容と、操作を受付けたフェーダのフェーダ番号と対応付けられた制御アドレスとを示す制御信号を生成し、生成した制御信号を照明機器１０に出力する。この結果、操作を受付けたフェーダと対応付けられた照明機器１０は、制御信号に従って、照明態様の制御を行う。
【００７４】
上述した照明制御装置５０は、ＣＰＵ（Central  Processing  Unit）とＲＡＭ（Random  Access  Memory）、ＥＥＰＲＯＭ、フラッシュメモリなどを有するコンピュータが、所定の記録媒体に登録された制御プログラムを読み取り、読み取った制御プログラムを実行することにより、実現されてもよい。
【００７５】
（照明機器が通知する情報の一例）
続いて、照明機器１０が利用者に設置フラグの内容を通知する処理の一例について説明する。図７は、実施形態に係る照明機器が表示する設置フラグの内容の一例を示す図である。例えば、照明機器１０−１は、表示部１７として、７セグメントディスプレイ１７−１およびＬＥＤランプ１７−２〜１７−４を有する。また、照明機器１０−１は、設定用ボタン１９−１〜１９−３を有する。
【００７６】
図７に示す例では、７セグメントディスプレイ１７−１は、制御アドレスや動作モード等、照明機器１０−１の設定を確認する際に用いられるディスプレイであり、照明機器１０−１に設定された制御アドレスやその他の照明機器情報を表示するために設けられた表示装置である。例えば、図７に示すように、７セグメントディスプレイ１７−１は、照明機器１０−１にエラーが生じた際に、「Ｅ−３」等といったエラーの内容を示す文字や記号を表示する。また、ＬＥＤランプ１７−２〜１７−４は、照明機器１０−１の動作を利用者に通知するために設置された光源であり、例えば照明機器１０−１が無線通信網を介して、若しくは、バトン装置２０やハブ３０を介して通信を行う際に点灯もしくは点滅する光源である。また、設定用ボタン１９−１〜１９−３は、照明機器１０−１に制御アドレスや他の照明機器情報を手動で設定する際に用いられるボタンである。
【００７７】
例えば、照明機器１０−１の制御部１５は、設置フラグを照明制御装置５０から受信した場合、若しくは、通知要求を受信した場合は、記憶部１３に記憶された設置フラグ１３−２の値を参照し、値が「１」である場合は、７セグメントディスプレイ１７−１の全セグメントを点灯または点滅させてもよく、７セグメントディスプレイ１７−１に設置する旨を示す文字、記号、または模様を表示してもよい。
【００７８】
また、照明機器１０−１は、設置フラグ１３−２の値が「１」である場合は、ＬＥＤランプ１７−２〜１７−４を点灯または点滅させ、設置フラグ１３−２の値が「０」である場合は、ＬＥＤランプ１７−２〜１７−４を消灯させてもよい。また、照明機器１０−１は、設置フラグ１３−２の値が「１」である場合は、ＬＥＤランプ１７−２を点灯または点滅させ、設置フラグ１３−２の値が「０」である場合は、ＬＥＤランプ１７−３を点灯または点滅させることで、設置対象ではない旨を利用者に通知してもよい。
【００７９】
また、照明機器１０−１は、ＬＥＤランプ１７−２〜１７−４を、設置フラグ１３−２の値に応じて異なる色彩で点灯もしくは点滅させてもよく、設置フラグ１３−２の値に応じたパターンで点滅させてもよい。例えば、照明機器１０−１は、設置フラグ１３−２の値が「１」である場合は、ＬＥＤランプ１７−２を赤色で点灯させ、設置フラグ１３−２の値が「０」である場合は、ＬＥＤランプ１７−２を青色で点灯させてもよい。また、照明機器１０−１は、上述した点灯若しくは点滅方法を組み合わせてもよい。
【００８０】
なお、図７に示す表示部１７は、あくまで一例であり、照明機器１０は、任意の態様の表示部が設置されていてよい。例えば、照明機器１０は、バトン装置２０等に設置された際に、利用者から良く視認できるように照明機器１０の下面や側面、光源部１６が照明する面とは反対側の面などに設置されていてもよい。また、照明機器１０は、筐体が有する底面の辺に沿って帯状の光源を有し、設置フラグが「１」である場合は、かかる光源を点灯もしくは点滅させることで、利用者に照明機器１０が設置対象である旨を通知してもよい。
【００８１】
（光源部を用いた通知について）
ここで、照明機器１０は、照明に用いる光源を用いて、記憶部１３に記憶された設置フラグ１３−２の内容を利用者に通知してもよい。例えば、照明機器１０−１は、光源部１６が有する各ＬＥＤランプを制御し、記憶部１３に記憶された設置フラグ１３−２の内容を利用者に通知してもよい。例えば、照明機器１０−１は、設置フラグ１３−２の値が「１」である場合は、光源部１６を点灯もしくは点滅させ、設置フラグ１３−２の値が「０」である場合は、光源部１６を消灯させてもよい。また、照明機器１０−１は、設置フラグ１３−２の値に応じた色彩や照度で光源部１６を点灯もしくは点滅させてもよい。
【００８２】
このように、照明機器１０は、光源部１６や表示部１７を用いて、照明機器１０が設置されるか否かを利用者に通知する。このような場合、利用者は、倉庫等に片づけられた照明機器１０のうち、光源部１６や表示部１７が点灯している照明機器１０をスタジオや舞台に搬入し、搬入した照明機器１０を設置すればよい。また、利用者は、スタジオや舞台に設置された照明機器１０のうち、光源部１６や表示部１７が点灯している照明機器１０を残し、他の照明機器を取り換えればよい。この結果、照明制御システム１は、照明機器１０の設置作業の効率を向上させることができる。
【００８３】
（照明制御装置が実行する処理の流れ）
次に、図８を用いて、照明制御装置５０が実行する処理の流れを説明する。図８は、実施形態に係る照明制御装置が実行する処理の一例を示すフローチャートである。例えば、照明制御装置５０は、無線ＬＡＮを介して、各照明機器１０−１〜１０−ｎから照明機器情報を収集する（ステップＳ１０１）。また、照明制御装置５０は、利用者から、照明機器１０を設置する位置と、その位置に設置する照明機器１０の種別とをオペレータから設置する照明機器１０の条件として受付ける（ステップＳ１０２）。
【００８４】
そして、照明制御装置５０は、オペレータから受付けた条件を満たす種別の照明機器を設置対象となる照明機器として選択し（ステップＳ１０３）、各照明機器１０−１〜１０−ｎに対して設置するか否かを示す設置フラグを、各照明機器１０−１〜１０−ｎに対して送信し（ステップＳ１０４）、この設置フラグに従って、利用者が各照明機器１０−１〜１０−ｎを設置あるいは置き換えを行うことで（ステップＳ１０５）処理を終了する。
【００８５】
（照明機器が実行する処理の流れ）
次に、図９を用いて、照明機器１０が実行する処理の流れを説明する。図９は、実施形態に係る照明機器が実行する処理の一例を示すフローチャートである。例えば、照明機器１０は、無線ＬＡＮを介して、照明機器情報を照明制御装置５０へ送信する（ステップＳ２０１）。
【００８６】
また、照明機器１０は、設置フラグを照明制御装置５０から受信したか否かを判定し（ステップＳ２０２）、受信した場合は（ステップＳ２０２：Ｙｅｓ）、設置フラグを記憶するとともに（ステップＳ２０３）、設置フラグの値が「１」であるか否かを判定する（ステップＳ２０４）。そして、照明機器１０は、設置フラグの値が「１」である場合は（ステップＳ２０４：Ｙｅｓ）、表示部１７を点灯させ（ステップＳ２０５）、処理を終了する。一方、照明機器１０は、設置フラグの値が「０」である場合は（ステップＳ２０４：Ｎｏ）、表示部１７を点灯させることなく処理を終了する。なお、照明機器１０は、設置フラグを受信していない場合は（ステップＳ２０２：Ｎｏ）、再度ステップＳ２０２を実行する。
【００８７】
[変形例]
（マッチングについて）
上述した例では、照明制御装置５０は、オペレータから指定された種別に関する条件を満たす照明機器１０を特定した。しかしながら、実施形態は、これに限定されるものではなく、照明制御装置５０は、オペレータが指定する任意の条件を満たす照明機器１０を特定してもよい。例えば、制御部５５は、オペレータから設置対象となる照明機器の種別以外にも、照明を点灯させた時間の合計である点灯時間の指定を受付けた場合は、点灯時間が指定された点灯時間よりも短い若しくは長い照明機器１０を特定してもよい。また、制御部５５は、照明の出力や消費電力の指定を受付けた場合は、照明の出力や消費電力が指定された出力以上となる照明機器１０を特定してもよい。また、照明制御装置５０は、複数の条件をオペレータから受付け、受付けた各条件を満たす照明機器１０を特定してもよい。
【００８８】
すなわち、照明制御装置５０は、照明機器情報として照明機器１０−１〜１０−ｎから収集可能な情報に関する任意の条件をオペレータから受付け、収集した照明機器情報がオペレータから受付けた条件を満たす照明機器１０を特定し、特定した照明機器１０に、オペレータが指定した条件を満たす旨を利用者に通知させればよい。このような処理を行うことで、照明制御システム１は、オペレータが指定した条件を満たす照明機器１０を、利用者が容易に見つけ出すことができるので、設置作業を容易にすることができる。
【００８９】
また、照明制御装置５０は、バトン装置２０に設置済みの照明機器１０を優先的に設置対象とするマッチングを行ってもよい。例えば、照明制御装置５０は、ＲＤＭ規格に沿った通信を用いて、バトン装置２０に接続された照明機器１０からの照明機器情報を収集し、収集した照明機器情報を用いたマッチングを行い、設置する照明機器、すなわち交換しない照明機器に対して設置する旨を示す設置フラグ「１」を送信する。
【００９０】
続いて、照明制御装置５０は、バトン装置２０に接続されていない照明機器１０から無線通信を介して照明機器情報を収集してマッチングを行い、新たにバトン装置２０へ接続する照明機器１０に対して、設置フラグ「１」を送信する。この結果、利用者は、設置対象の照明機器１０を容易に搬入し、設置することができる。
【００９１】
ここで、上述した処理では、すでにバトン装置２０に設定されている照明機器１０のうち、交換しない照明機器１０と、倉庫等に片づけられている照明機器１０のうち、新たに設置する照明機器１０とが点灯することとなり、設置作業に混乱をきたす恐れがある。そこで、照明機器１０は、自装置がバトン装置２０に設置されているか否かを判定し、自装置がバトン装置２０に設置されている場合は、設置フラグの値とは逆の通知を行ってもよい。
【００９２】
例えば、バトン装置２０に設置されている状態で設置フラグ「１」が送信された照明機器１０は、交換対象ではない照明機器１０であると言える。そこで、照明機器１０は、バトン装置２０に設置されている際に、設置フラグ「１」が配信された場合は、表示部１７を点灯させず、設置フラグ「０」が配信された場合は、表示部１７を点灯させる。このような処理を行った場合は、倉庫等に片づけられた照明機器１０のうち、新たに設置する照明機器１０と、バトン装置２０に設置されている照明機器１０のうち、他の照明機器１０と交換される照明機器１０とが表示部１７を点灯させることとなる。この結果、利用者は、照明機器１０が設置されているか否かに係らず、表示部１７を点灯させている照明機器１０を交換対象とすればよい。この結果、照明制御システム１は、設置作業をより容易にすることができる。
【００９３】
なお、照明制御装置５０は、バトン装置２０に接続された照明機器１０から照明機器情報を収集する際、正しい照明機器１０が設置されているか否かを判定してもよい。例えば、制御部５５は、バトン装置２０に接続された照明機器１０から照明制御情報を収集し、収集した照明制御情報と、アドレス管理テーブル５３−３に登録した照明制御情報とが一致しているか否かを判定し、一致していない場合は、設置された照明機器１０のうち、アドレス管理テーブル５３−３に照明制御情報が登録されていない照明機器１０の表示部１７を点灯もしくは点滅させる等させてもよい。また、制御部５５は、設置される予定であったが、実際には設置されていない照明機器１０の表示部１７を点灯もしくは点滅褪せてもよい。この結果、利用者は、誤って設置された照明機器１０を容易に見つけ出すことができるとともに、このような照明機器１０を正しい照明機器１０と容易に交換することができる。
【００９４】
（設置位置について）
なお、上述した実施形態では、照明制御装置５０は、オペレータから照明機器１０を設置する位置と種別とを対応付けた位置情報を受付けた。しかしながら、実施形態は、これに限定されるものではない。例えば、照明制御装置５０は、利用者から設置対象となる照明機器１０の種別と、設置対象となる照明機器の種別とを受付け、受付けた種別の照明機器１０を受付けた台数だけ選択してもよい。すなわち、照明制御装置５０は、少なくとも設置対象とる照明機器１０の照明機器情報の条件を受付け、受付けた照明機器情報と収集した照明機器情報とをマッチングするのであれば、オペレータから設置位置情報を用いずともよい。
【００９５】
（照明制御装置が利用する照明機器情報について）
上述した実施形態では、照明制御装置５０は、照明機器情報を用いて、照明機器の種別を特定した。しかしながら、実施形態は、これに限定されるものではない。例えば、照明制御装置５０は、照明機器情報に含まれる情報をキーとして、予め登録されたデータベースやインターネット上から照明機器の各種情報を収集し、収集した各種情報を用いた処理を実行してもよい。
【００９６】
（通知の制御について）
上述した例では、照明機器１０は、記憶部１３に記憶した設置フラグ１３−２の内容を光源部１６や表示部１７を用いて表示した。ここで、照明機器１０が設置フラグ１３−２の内容を表示する際の態様については、照明機器１０が設置フラグ１３−２に応じて自律的に変更してもよく、照明制御装置５０からの指示に従って変更してもよい。例えば、照明制御装置５０は、照明機器１０−１が設置されるか否かに応じて、光源部１６や表示部１７をどのように点灯させるかを示す点灯指示を生成し、設置フラグに代えて点灯指示を照明機器１０−１に送信する。このような場合、照明機器１０−１は、照明制御装置５０から受信した点灯指示に従って、光源部１６や表示部１７を点灯させることで、照明機器１０−１が設置されるか否かを利用者に通知してもよい。
【００９７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
１  照明制御システム
１０−１〜１０−ｎ  照明機器
１３  記憶部
１３−１  照明機器情報
１３−２  設置フラグ
１４  通信部
１５  制御部
１６  光源部
１７  表示部
１８  蓄電部
２０−１〜２０−ｎ  バトン装置
２３  通信部
２４−１〜２４−ｎ  ポート
３０  ハブ
４０  電源装置
５０  照明制御装置
５１  通信部
５２  操作部
５３  記憶部
５３−１  位置情報テーブル
５３−２  機器情報テーブル
５３−３  アドレス管理テーブル
５４  表示部
５５  制御部
【図１】
2016181451.tif 000003
【図２】
2016181451.tif 000004
【図３】
2016181451.tif 000005
【図４】
2016181451.tif 000006
【図５】
2016181451.tif 000007
【図６】
2016181451.tif 000008
【図７】
2016181451.tif 000009
【図８】
2016181451.tif 000010
【図９】
2016181451.tif 000011